(57)【要約】【課題】  取付壁面の厚さや配管方向に関係なく壁内蔵給水栓を所定の位置に取り付けることができるようにした給水栓の取付構造を提案する。【解決手段】  上下のいずれか一辺を開放した矩形枠体からなる水栓ボックスと、止水栓部、吐水部、及び、配管接続部を一体に設けてなる水栓本体とからなり、枠体の左右側壁の内側面の奥行き方向にガイドレールを条設する一方、水栓本体の左右の奥行き方向に前記ガイドレール上を摺動可能なガイド溝を構成すると共に、水栓本体の前方にスライドゲージを設け、ガイド溝に前記ガイドレールとの係合手段を設けてスライドゲージを基準に水栓本体を水栓ボックスの所定の位置に固定できるようにして壁内蔵給水栓の取付構造を構成する。【選択図】  図１
2006132204.tif 000002
【特許請求の範囲】
【請求項１】
上下のいずれか一辺を開放した矩形枠体からなる水栓ボックスと、止水栓部、吐水部、及び、配管接続部を一体に設けてなる水栓本体とからなり、前記枠体の左右側壁の内側面の奥行き方向にガイドレールを条設する一方、前記水栓本体の左右の奥行き方向に前記ガイドレール上を摺動可能なガイド溝を構成すると共に、前記水栓本体の前方にスライドゲージを設け、前記ガイド溝に前記ガイドレールとの係合手段を設けて前記スライドゲージを基準に水栓本体を水栓ボックスの所定の位置に固定できるようにしたことを特徴とする壁内蔵給水栓の取付構造。
【請求項２】
水栓本体を囲むようにレールプレートを着脱自在に取り付け、前記レールプレートのコの字状に折曲したプレート本体の左右片に、上記ガイドレールの幅と対応する間隔をおいてガイド板を平行に突設してガイド溝を構成し、前記レールプレートの一端は所定の長さだけ突出させてスライドゲージとした請求項１記載の壁内蔵給水栓の取付構造。
【請求項３】
上記ガイドレールとの係合手段は、上記ガイド板の少なくとも一方にくの字状の折曲部を設け、この折曲部に固定ネジを斜め上方向に取り付けて固定ネジがガイド溝に進入して上記ガイドレールと係合するものである請求項２記載の壁内蔵給水栓の取付構造。
【請求項４】
上記配管接続部は、各種配管に対応する継手を有すると共に、上下方向に１８０度回転可能とした構造である請求項１から請求項３のいずれか１項記載の壁内蔵給水栓の取付構造。
【発明の詳細な説明】
【技術分野】
【０００１】
この発明は、取付壁面の厚さや配管方向に関係なく給水栓を所定の位置に取り付けることができるようにした、壁内蔵給水栓の取付構造に関するものである。
【背景技術】
【０００２】
近年、住居の水回りにおいて、その機能性や美感の観点から、壁面に内蔵した形式の給水栓が用いられるようになっている。本出願人も、特許文献１に示すような、壁内蔵給水栓を提案している。このような給水栓は独特の審美性を醸し出すと共に、壁面からの迫り出し量が極めて小さい給水栓を提供できる。
【０００３】
また、このほかにも、例えば、図６に示すように、壁（Ｗ）の内側の桟木（Ｓ）に水栓ボックス（ａ）を取り付け、この水栓ボックス（ａ）に対して、止水栓部（ｂ）、吐水部（ｃ）、配管接続部（ｄ）を一体に有する水栓本体(e)を固定し、これに水道配管（ｆ）を接続すると共に、壁面の外側からカバープレート（ｇ）やハンドル（ｈ）を取り付けるようにした壁内蔵給水栓も利用されるようになっている。このような給水栓によっても、壁面からの迫り出し量の小さい、審美性に優れた給水栓を使用することができる。
【０００４】
【特許文献１】特開２００３−９６８４２号公報
【発明の開示】
【発明が解決しようとする課題】
【０００５】
しかしながら、従来の図６に示したような壁内蔵給水栓は、桟木に取り付けた水栓ボックスに水栓本体を直接固定するようにしたものであるから、水栓ボックスの取付位置によって水栓本体の取付位置が決まってしまうことになる。即ち、実際の作業現場での施工の際、水栓ボックスの取付位置にずれが生じると、水栓本体の位置もずれてしまい、壁面からの迫り出し量にずれが生じてしまう。このため、外側からカバープレートを取り付けようとすると、壁面から浮いてしまったり、逆に、水栓本体に対して充分取り付けることができず、止水栓部や吐水部の迫り出し量を充分に得ることができず、使用に支障を来すようなこともあった。
【０００６】
また、一般住宅において、壁面の厚さは、９．５mm、または、１２．５mmが概ねの基準であり、この厚さに対応するために、水栓本体の取り付けに際し、スペーサーの介在を余儀なくされていたため、より一層の取付精度が要求されていた。さらに、近年では２５mmの壁厚が採用されることもあり、従来品では対応できないものもあった。
【０００７】
さらに、壁内の配管についても、従来は床下からの配管が主であったが、近年では天井から下方へ向かう配管が採用されることもあり、個々の現場の状況に応じて、配管接続部の取付方向などについて多種多様な製品を取り揃える必要があった。
【０００８】
そこで、本発明では、取付壁面の厚さや配管方向に関係なく壁内蔵給水栓を所定の位置に取り付けることができるようにした給水栓の取付構造を提案するものである。
【課題を解決するための手段】
【０００９】
上述した課題を解決するため、本発明は、上下のいずれか一辺を開放した矩形枠体からなる水栓ボックスと、止水栓部、吐水部、及び、配管接続部を一体に設けてなる水栓本体とからなり、前記枠体の左右側壁の内側面の奥行き方向にガイドレールを条設する一方、前記水栓本体の左右の奥行き方向に前記ガイドレール上を摺動可能なガイド溝を構成すると共に、前記水栓本体の前方にスライドゲージを設け、前記ガイド溝に前記ガイドレールとの係合手段を設けて前記スライドゲージを基準に水栓本体を水栓ボックスの所定の位置に固定できるようにして壁内蔵給水栓の取付構造を構成するという手段を採用した。
【００１０】
そして、水栓本体を囲むようにレールプレートを着脱自在に取り付け、前記レールプレートのコの字状に折曲したプレート本体の左右片に、上記ガイドレールの幅と対応する間隔をおいてガイド板を平行に突設してガイド溝を構成し、前記レールプレートの一端は所定の長さだけ突出させてスライドゲージとするという手段を採用した。
【００１１】
さらに、上記ガイドレールとの係合手段は、上記ガイド板の少なくとも一方にくの字状の折曲部を設け、この折曲部に固定ネジを斜め上方向に取り付けて固定ネジがガイド溝に進入して上記ガイドレールと係合するものであるという手段を採用した。
【００１２】
また、上記配管接続部は、各種配管に対応する継手を有すると共に、上下方向に１８０度回転可能とした構造であるという手段を採用した。
【発明の効果】
【００１３】
上記構成にかかる壁内蔵給水栓の取付構造は、水栓ボックスに対して水栓本体を奥行き方向に摺動可能に取り付けるようにしたものであるから、水栓ボックスの取付位置に関係なく、壁の厚みに応じて最適の位置に給水本体を固定することが可能となった。この場合、水栓本体にスライドゲージを設けているので、このスライドゲージを基準として壁前面に合わせることにより、給水本体の位置を簡単かつ確実に設定することができる。
【００１４】
そのため、取付壁面の厚さに関係なく、給水栓を簡単、確実に取り付けることが可能であり、施工時のずれがなく、美麗な給水栓とすることができるようになった。
【００１５】
また、ガイド溝を構成するレールプレートを着脱自在とすることにより、実際の施工時において、先に給水本体と水道配管を接続し、その後で給水本体を水栓ボックスに取り付けることが可能となった。
【００１６】
さらに、斜め方向に取り付けた固定ネジで水栓本体を水栓ボックスに係合固定するようにしているので、前方からの固定作業が楽に行える。
【００１７】
また、配管接続部を上下方向に１８０度回転可能としたことによって、従来の床下からの配管の他、天井からの配管や配管の曲がりにも対応することが可能であり、従来のように多種多様な製品を取り揃えることなく、壁内蔵給水栓を提供できるようになった。
【発明を実施するための最良の形態】
【００１８】
以下、本発明に係る壁内蔵給水栓の取付構造の好ましい実施形態を、添付した図面に従って説明する。図１は、本発明の取付構造の全体構成を示す斜視図である。図において、１は合成樹脂製の水栓ボックスであって、下方開放の矩形枠体からなり、左右側壁の内側面の奥行き方向にガイドレール２、２を条設したものである。このガイドレール２は必要に応じて複数段設けてもよい。この水栓ボックスは適宜な手段によって住居の壁の内部に設けられる桟木などに固定し、この水栓ボックスに対して下述する水栓本体３を取付固定するものである。
【００１９】
水栓本体３は、正面の上下方向に並んで、止水栓部４、吐水部５が設けられ、その横に配管接続部６が設けられている。さらに、この止水栓部４の横には取付片７が突設され、ビス８を介して上記水栓本体３を囲むようにレールプレート９が着脱自在に取り付けられる。レールプレート９は水栓本体３の左右にガイド溝１０、１１を形成し、このガイド溝を介して上記水栓ボックス１のガイドレール２、２上を摺動させることで、水栓本体３の前後の取付位置を任意に設定できるようになっている。また、このとき、取付位置の基準を決定するため、レールプレート９の先端を延伸してスライドゲージ１３として機能させるようにしている。
【００２０】
続いて、上記水栓本体３及びレールプレート９の構成について詳述する。図２はレールプレート９を取り付けた水栓本体３であり、図において、（Ａ）は正面図、（Ｂ）は左側面図、（Ｃ）は右側面図、（Ｄ）は平面図である。各図において、４は止水栓部であって、最終的にハンドル（図示せず）を取り付けて栓の開閉を行う部分であり、水平に取り付ける。例えば操作性を考慮して９０度開閉式のハンドルとすることもある。５は吐水部であって、ホースを接続する部分であるが、下方に傾斜して取り付けられると共に、必要に応じてホースが外れたときに対応する緊急ストッパーやウォーターハンマー緩衝機能を内部構造として採用したものである。この止水栓部４及び吐水部５は、外観の審美性及び操作性、機能性を考慮して、正面の上下方向に並んで設けられる。
【００２１】
６は配管接続部で、壁内の水道配管（図示せず）と接続する部分であるが、その接続機構として例えば公知のワンタッチ継手を採用して各種配管に対応できるようにしている。但し、これに限定するものではなく、各種継手を採用できる。また、この配管接続部６は上下方向に少なくとも１８０度回転可能な構造を採用し、通常の床下からの配管の他、天井配管や配管の曲がりにも対応できるようにしている。
【００２２】
次に、レールプレート９は、水栓本体３を囲むように概略コの字状に折曲したプレート本体９ａの左右のそれぞれに、上記水栓ボックス１に設けられたガイドレール２の幅に対応する間隔をおいて上下に平行する一対のガイド板９ｂ、９ｃを突設して、ガイド溝１０、１１を形成したものである。また、一方のガイド板９ｂの下片には、くの字状の折曲部９ｄを設けて固定ネジ１２を斜め上方向に取り付け、固定ネジ１２がガイド溝１０内に進入してガイドレール２と係合するようにし、上記ガイドレール２に取り付けたときに、前側下方から固定ネジを調整してレールプレート９を取り付けた水栓本体３をガイドレール２上の任意の位置に固定できるようにしている。なお、このくの字状の折曲部９ｄは、左右両方のガイド板９ｂ、９ｃに設けてもよい。さらに、レールプレート９の一端は所定の長さだけ前方方向に突出させ、スライドゲージ１３として機能させる。即ち、スライドゲージ１３と水栓本体３の止水栓部４や吐水部５との位置関係を常に一定とすることにより、スライドゲージ１３の前端を取付壁面の前面に合わせることで、上記止水栓部４や吐水部５の壁前面からの位置が一意的に決定され、壁の厚さに関係なく、また、取付誤差を生じることなく壁面に取り付けることができるようになる。
【００２３】
なお、このレールプレート９の水栓本体３への取り付けは、本実施形態では、プレート本体９ａの右方片に嵌入溝を設けて水栓本体３の一端を嵌入固定すると共に、水栓本体３の他端に取付片７を突設し、ビス８で着脱自在に固定するように取り付けている。但し、かかる手段に限定するものではなく、水栓本体３に対してレールプレート９を着脱自在に取り付け可能とし、水栓本体３の左右にガイド溝１０、１１が形成されるようにすればよく、さらに、スライドゲージ１３が所定の位置関係を有するように取り付けることができればよい。
【００２４】
このように、水栓本体とガイド溝を構成するレールプレートを別部材としたことによって、実際の施工の際には、水栓本体と水道配管とを配管接続部を介して接続した後、レールプレートを取り付け、それから水栓ボックスに摺動固定するといった従来の工法に準じた工法が可能である。
【００２５】
次に、図３、図４は、レールプレート９を取り付けた水栓本体３を水栓ボックス１に取り付ける態様を示すもので、図３において、（Ａ）は正面図、（Ｂ）〜（Ｄ）は厚さの異なる壁面に取り付ける場合の側面図である。また、図４の（Ａ）〜（Ｃ）は、カバープレート１４を取り付けた態様を示すものである。図において、水栓ボックス１は適宜な手段で、壁内の桟木などに固定されている。この水栓ボックスの左右側壁内面に設けたガイドレールに対し、水栓本体３に取り付けたレールプレート９のガイド溝１０、１１を嵌合摺動させて、前後移動可能とする。近年、一般住宅等においては、壁（Ｗ）の厚さは、概ね９．５mm、１２．５mm、２５mmの３種類が採用されているが、図３（Ｂ）〜（Ｄ）に示すように、壁厚に関係なくレールプレート９のスライドゲージ１３の先端が壁（Ｗ）の前面と同じ位置に位置するように、ガイド溝１０、１１を摺動させ、固定ネジ１２を緊締して水栓本体３の位置を固定する。これにより、水栓本体３は、壁面に対して常に一定の位置に固定することが可能である。従って、図４に示すように、壁の厚さに関係なく、水栓本体３が固定されるので、カバープレート１４も、ずれを生じることなく、壁面に密着して、取り付けることができるようになり、止水栓部や吐水部も、所定の長さだけ壁面から迫り出して取り付けることができる。
【００２６】
続いて、図５は、水道配管が天井から下方へ向かって配管されている場合を示すもので、この場合は水栓ボックス１を上下反転させて桟木に取り付け、この水栓ボックス１に対してレールプレート９を取り付けた水栓本体３を摺動固定するものである。この場合、水栓ボックス１は上方が開放されることになり、水栓本体３の配管接続部６を１８０度回転させ、上方からの配管に対応できるようになる。水栓本体３の奥行き方向の位置固定は、上述した場合と同様に調整すればよい。
【図面の簡単な説明】
【００２７】
【図１】本発明に係る壁内蔵給水栓の取付構造の好ましい実施形態を示す斜視図である。
【図２】レールプレートを取り付けた給水本体であり、（Ａ）は正面図、（Ｂ）は左側面図、（Ｃ）は右側面図、（Ｄ）は平面図である。
【図３】レールプレートを取り付けた給水本体を水栓ボックスに取り付ける態様を示すもので、（Ａ）は正面図、（Ｂ）〜（Ｄ）は厚さの異なる壁面に取り付ける場合の側面図である。
【図４】カバープレートを取り付けた態様を示す側面図である。
【図５】本発明かかる壁内蔵給水栓の取付構造を天井配管に対応させた場合の正面図である。
【図６】従来の壁内蔵給水栓の取付構造の一例を示す分解斜視図である。
【符号の説明】
【００２８】
１    水栓ボックス
２    ガイドレール
３    水栓本体
４    止水栓部
５    吐水部
６    配管接続部
９    レールプレート
１０    ガイド溝
１１    ガイド溝
１２    固定ネジ
１３    スライドゲージ
【図１】
2006132204.tif 000003
【図２】
2006132204.tif 000004
【図３】
2006132204.tif 000005
【図４】
2006132204.tif 000006
【図５】
2006132204.tif 000007
【図６】
2006132204.tif 000008